(57)【要約】【課題】橋梁などの既設鉄骨構造体から吊り下げられた吊り足場上からの作業者の落下防止に活用出来る吊り足場用親綱張設構造を提供する。【解決手段】吊り足場の作業者歩行面３に対する親綱張設高さＨが、当該吊り足場が吊り下げられる既設鉄骨構造体の鉄骨２の水平側縁部２ａよりも高いときは、親綱支柱１を、親綱係止部６が支柱本体４の上端側に位置する上下正向きにして、クランプ５を鉄骨２の水平側縁部２ａに嵌合固定し、吊り足場に対する親綱張設高さＨが、当該吊り足場が吊り下げられる既設鉄骨構造体の鉄骨２の水平側縁部２ａよりも低いときは、親綱支柱１を、親綱係止部６が支柱本体４の下端側に位置する上下逆向きにして、クランプ５を鉄骨２の水平側縁部２ａに嵌合固定する構成。【選択図】図１
0003218422.tif 000002
【実用新案登録請求の範囲】
【請求項１】
支柱本体の一端側に鉄骨の水平側縁部に嵌合固定可能なクランプを備え、前記支柱本体の他端側に親綱係止部を備えた親綱支柱を、前記クランプにより前記鉄骨の水平側縁部に適当間隔おきに取り付け、隣り合う親綱支柱の前記親綱係止部間に親綱を張設した吊り足場用親綱張設構造であって、吊り足場に対する親綱張設高さが、当該吊り足場が吊り下げられる既設鉄骨構造体の鉄骨の水平側縁部よりも高いときは、前記親綱支柱を、親綱係止部が前記支柱本体の上端側に位置する上下正向きにして、前記クランプを前記鉄骨の水平側縁部に嵌合固定し、吊り足場に対する親綱張設高さが、当該吊り足場が吊り下げられる既設鉄骨構造体の鉄骨の水平側縁部よりも低いときは、前記親綱支柱を、前記親綱係止部が前記支柱本体の下端側に位置する上下逆向きにして、前記クランプを前記鉄骨の水平側縁部に嵌合固定している、吊り足場用親綱張設構造。
【考案の詳細な説明】
【技術分野】
【０００１】
本考案は、橋梁などの既設鉄骨構造体から吊り下げられた吊り足場上からの作業者の落下防止のための吊り足場用親綱張設構造に関するものである。
【背景技術】
【０００２】
従来周知の親綱支柱は、特許文献１に記載されるように、建築途中の鉄骨構造体上からの作業者の落下防止に使用されるもので、作業者が歩行する鉄骨の側縁に挟持固定するためのクランプを支柱の下端側に備え、当該支柱の上端側に設けられた親綱係止部に、作業者が歩行する鉄骨に沿って所定高さに張設する親綱の端部を係止して使用するものであった。しかしながら、橋梁などの既設鉄骨構造体に対する保守作業などのために当該既設鉄骨構造体に吊り下げられる吊り足場に対しては、前記のような従来の一般的な親綱支柱を取り付けることが出来ない。
【先行技術文献】
【特許文献】
【０００３】
【特許文献１】特開２００４−２１８２４５号公報
【考案の概要】
【考案が解決しようとする課題】
【０００４】
即ち、親綱支柱の下端側のクランプは、鉄骨などの頑丈な構造体に取り付ける必要があり、足場板をチエンなどで吊り下げた、不安定で強度も不足する吊り足場には使用することが出来ないので、橋梁などの既設鉄骨構造体から吊り下げられた吊り足場上での作業者の落下防止対策として親綱を活用していないのが実情である。
【課題を解決するための手段】
【０００５】
本考案は、上記のような従来の問題点を解消することの出来る吊り足場用親綱張設構造を提案するものであって、本考案に係る吊り足場用親綱張設構造は、支柱本体(4)の一端側に鉄骨(2)の水平側縁部(2a)に嵌合固定可能なクランプ(5)を備え、前記支柱本体(4)の他端側に親綱係止部(6)を備えた親綱支柱(1)を、前記クランプ(5)により前記鉄骨(2)の水平側縁部(2a)に適当間隔おきに取り付け、隣り合う親綱支柱(1)の前記親綱係止部(6)間に親綱(W)を張設した吊り足場用親綱張設構造であって、吊り足場に対する親綱張設高さ(H)が、当該吊り足場が吊り下げられる既設鉄骨構造体の鉄骨(2)の水平側縁部(2a)よりも高いときは、前記親綱支柱(1)を、親綱係止部(6)が前記支柱本体(4)の上端側に位置する上下正向きにして、前記クランプ(5)を前記鉄骨(2)の水平側縁部(2a)に嵌合固定し、吊り足場に対する親綱張設高さ(H)が、当該吊り足場が吊り下げられる既設鉄骨構造体の鉄骨(2)の水平側縁部(2a)よりも低いときは、前記親綱支柱(1)を、前記親綱係止部(6)が前記支柱本体(4)の下端側に位置する上下逆向きにして、前記クランプ(5)を前記鉄骨(2)の水平側縁部(2a)に嵌合固定する構成になっている。
【考案の効果】
【０００６】
上記本考案の構成においては、前記親綱支柱の長さ、即ち、一端側のクランプと他端側の親綱係止部との間の長さ（高さ）は、従来の作業者が歩行する鉄骨の水平側縁部に取り付けられる親綱支柱の長さと比較して半分以下の長さとなる。なぜならば、親綱は、作業者の腰付近の高さ（９０ｃｍ程度）となるように張設する必要があり、しかも既設鉄骨構造体の鉄骨から吊り下げられる吊り足場は、作業者が既設鉄骨構造体の下側を普通の立ち姿で歩行出来るほど下方に吊り下げることは無く、既設鉄骨構造体の下側を頭を少し下げて通過できる程の高さが最大になる位の高さに吊り下げられるので、仮に従来の親綱支柱をそのまま上下逆向きに既設鉄骨構造体の水平側縁部に取り付けたのでは、既設鉄骨構造体より９０ｃｍほど下がった高さに親綱を張設することになり、親綱が低すぎて本来の目的を達成することが出来ない。従って、上記本考案の親綱支柱の長さは、前記のように９０ｃｍの１／２〜１／３ほどの長さになる。
【０００７】
而して、上記のように非常に短い長さに構成された本考案の親綱支柱を前記のような条件で使用して親綱を張設すれば、親綱支柱を頑丈な既設鉄骨構造体の鉄骨に取り付けて安全性を確保しながら、その親綱支柱を利用して張設する親綱は、吊り足場上を歩行する作業者の腰付近の高さに張設することが可能になり、所期の作業者の落下防止の目的を達成出来るのである。
【図面の簡単な説明】
【０００８】
【図１】図１は、本考案の実施例を説明する正面図である。
【図２】図２は、上下逆向きに使用した親綱支柱を利用して親綱を張設した状態を説明する一部切欠き背面図である。
【図３】図３は、上下正向き状態の親綱支柱の正面図である。
【図４】図４は、図３の右側面図である。
【図５】図５は、図３の平面図である。
【図６】図６は、図３の底面図である。
【図７】図７は、図３の中央縦断側面図である。
【考案を実施するための形態】
【０００９】
図１において、１は本考案の一実施例に係る親綱支柱、２は既設鉄骨構造体の水平に架設されている鉄骨、２ａは前記鉄骨２の水平側縁部である。３は前記鉄骨２に吊り下げられた吊り足場（吊り棚足場と称される場合もある）の作業者歩行面である。図の右半分に示す例は、前記鉄骨２の水平側縁部２ａの高さが低い場合であって、親綱支柱１は、上下正向きに使用されている。図の左半分に示す例は、前記鉄骨２の水平側縁部２ａの高さが高い場合であって、親綱支柱１は、上下逆向きに使用されている。Ｈは親綱張設高さを示しており、一般的には吊り足場の作業者歩行面３から９０ｃｍほどの高さになっている。
【００１０】
親綱支柱１は、図３〜図７に示すように、支柱本体４と、この支柱本体４の下端側の側部に設けられたクランプ５、及び支柱本体４の上端に設けられた親綱係止部６から構成されている。支柱本体４は、横断面が長方形の角型筒状のものであって、その下端は、前側長辺が後ろ側長辺よりも高くなるように傾斜しており、この傾斜した下端が、板材７によって閉じられている。従って、板材７は、前上がりに傾斜しているが、その上端部分が下向きに折曲されて、支柱本体４と平行に垂下する前側板部７ａを形成している。又、支柱本体４には、その下端から中間より少し高い位置までの領域の左右両側面に別の厚板８ａ，８ｂが重ねられた状態で固着されている。この左右一対の厚板８ａ，８ｂには、下端部から前方に直角Ｌ字形に突出して、前記クランプ５の受け部９を構成する下側張出し部１０が連設されている。この厚板８ａ，８ｂの下側張出し部１０は、前記板材７の支柱本体４から前方に突出している領域の左右両側面に固着されると共に、この下側張出し部１０の入隅部の周囲を補強する突出リブ１０ａ，１０ｂが形成されている。
【００１１】
前記クランプ５は、前記左右一対の厚板８ａ，８ｂによって構成された前記受け部９、この受け部９の上方で左右一対の厚板８ａ，８ｂから前方に突出する上側張出し部１１、この左右両上側張出し部１１間で支柱本体４から直角前方に突出し且つ支柱本体４と左右両上側張出し部１１とに固着支持されている水平板材１２、この水平板材１２に上下方向に貫通するように設けられた左右一対の貫通ネジ孔１３ａ，１３ｂ（図３）、及びこれら両貫通ネジ孔１３ａ，１３ｂを螺合貫通する左右一対の螺軸１４ａ，１４ｂによって構成されている。尚、両螺軸１４ａ，１４ｂの下端には、当該螺軸１４ａ，１４ｂの軸心の周りに相対回転可能に皿バネ１５ａ，１５ｂが取り付けられ、両螺軸１４ａ，１４ｂの上端には、回転操作用角軸部１６ａ，１６ｂが設けられている。尚、水平板材１２の左右両側辺は、左右両厚板８ａ，８ｂの上側張出し部１１に形成した凹溝部１１ａ，１１ｂに嵌合させている。
【００１２】
親綱係止部６は、１本の鋼棒材１７の曲げ加工によって形成された横長長円形の係止具１８、この係止具１８を形成した鋼棒材１７の両端部を垂直下向きに折曲して構成した取付け用脚部１９ａ，１９ｂ、及び両取付け用脚部１９ａ，１９ｂを溶接により固着した取付け用基板２０から成るものであって、前記取付け用基板２０が、支柱本体４の上端の天板２１上に左右一対のボルト２２ａ，２２ｂによって取り付けられている。尚、ボルト２２ａ，２２ｂが螺合するネジ孔は、前記天板２１に設けられた上下方向の貫通孔と同心状に、当該天板１の下側に溶接により固着されたナット２３ａ，２３ｂによって構成されている。
【００１３】
尚、左右両厚板８ａ，８ｂの下側張出し部１０と上側張出し部１１との間の前側縁２４は、支柱本体４より前側に突出させており、受け部９と螺軸１４ａ，１４ｂとの間で挟持される鉄骨２の水平側縁部２ａが、支柱本体４には当接しないで左右一対の厚板８ａ，８ｂの前側縁２４に当接して位置決めされるように構成している。勿論この鉄骨２の水平側縁部２ａは、受け部９を構成する左右一対の厚板８ａ，８ｂの下側張出し部１０の上側辺（厚板８ａ，８ｂの端面）によって支持され、例えば板材７や下側張出し部１０の上側辺間に架設した板材など、平坦な板面で支持される構成ではない。又、板材７には、支柱本体４の前側板の前後両側に跨るように開口部２５が設けられている。この開口部２５は、厚板８ａ，８ｂの下側張出し部１０と板材７、及び支柱本体４の前側板によって形成された上側開放の凹入部内に入り込んだ雨水を下方に逃がすのと、支柱本体４の内部が密閉空間になるのを防ぐのに役立っている。
【００１４】
以上のように構成された親綱支柱１は、クランプ５の受け部９（下側張出し部１０の上側辺）から親綱係止部６の係止具１８における横長長円形の中心高さまでの間隔（長さ）が、３０〜４０ｃｍ程度であって、例えば特許文献１に記載されるような従来の一般的な親綱支柱のクランプの受け部から親綱係止部の中心高さまでの間隔と比較して非常に短いものである。この親綱支柱１を使用するときは、図１に示すように、橋梁などの既設鉄骨構造体の鉄骨２の保守作業などのために、当該鉄骨２に吊り下げられた吊り足場自体に親綱支柱１を取り付けるのではなく、その作業者歩行面３より上方で水平に架設されている鉄骨２の水平側縁部２ａに親綱支柱１を取り付ける。
【００１５】
このとき、作業者歩行面３に対する鉄骨２の水平側縁部２ａの高さが、好ましい親綱張設高さＨ（大凡９０ｃｍ）よりも高いときは、図１の左半分に示すように親綱支柱１を上下逆向きにして、鉄骨２の水平側縁部２ａに親綱支柱１の上端側に位置するクランプ５を挟持固定し、下端側に位置する親綱係止部６に親綱の端部を係止させる。逆に作業者歩行面３に対する鉄骨２の水平側縁部２ａの高さが、好ましい親綱張設高さＨ（大凡９０ｃｍ）よりも低いときは、図１の右半分に示すように親綱支柱１を上下正向きにして、鉄骨２の水平側縁部２ａに親綱支柱１の下端側に位置するクランプ５を挟持固定し、上端側に位置する親綱係止部６に親綱の端部を係止させる。
【００１６】
クランプ５の使用方法は、従来のものと基本的に同一であって、受け部９と螺軸１４ａ，１４ｂの下端の皿バネ１５ａ，１５ｂとの間に鉄骨２の水平側縁部２ａを位置させた状態で、回転操作用角軸部１６ａ，１６ｂを利用して螺軸１４ａ，１４ｂを螺進方向に回転させ、受け部９と螺軸１４ａ，１４ｂの下端の皿バネ１５ａ，１５ｂとの間で鉄骨２の水平側縁部２ａを挟持固定することになる。尚、親綱の張設方法も、基本的には従来の親綱支柱を使用する場合と同じであって、例えば図２に示すように、同じ条件で鉄骨２の水平側縁部２ａに適当間隔を隔てて取り付けた２つの親綱支柱１の内、一方の親綱支柱１の親綱係止部６における係止具１８に、親綱Ｗの一端に接続されているカラビナＣ１を係合させ、他方の親綱支柱１の親綱係止部６における係止具１８に、親綱Ｗの他端に接続されているカラビナＣ２を係合させると共に、当該カラビナＣ２に付属の親綱緊張保持具Ｃ３の機能を利用して親綱Ｗの遊端側を引張し、親綱支柱１間の親綱Ｗを適度に緊張させる。
【００１７】
以上のようにして鉄骨２の水平側縁部２ａにクランプ５を利用して取り付けた２つの親綱支柱１間に親綱Ｗを張設することにより、当該親綱Ｗを、吊り足場の作業者歩行面３を歩行する作業者の腰辺りの高さでほぼ水平に張設することが出来る。この親綱Ｗに、作業者が腰に繋いでいる安全帯の先端のカラビナを係合させて、作業者が落下防止を図ることが出来る。
【００１８】
尚、親綱支柱のクランプや親綱係止部の具体構造は、上記実施例のものに限定されないが、特にクランプの具体構造として、鉄骨２の水平側縁部２ａを受け止める受け部９を、支柱本体４の左右両側に当接固着した左右一対の厚板８ａ，８ｂの下側張出し部１０の上側辺で構成することにより、鉄骨２の水平側縁部２ａを板面で受け止める構成と比較して、鉄骨２の水平側縁部２ａの２か所を受け止めてその中間位置を螺軸１４ａ，１４ｂの先端（皿バネ１５ａ，１５ｂ）で押圧することになり、安定且つ確実なクランプ機能を発揮させることが出来る。又、前記厚板８ａ，８ｂを支柱本体４の前面よりも突出させて、この厚板８ａ，８ｂの前側辺に鉄骨２の水平側縁部２ａの２か所を当接させて位置決め出来るように構成することも効果的である。
【産業上の利用可能性】
【００１９】
本考案の吊り足場用親綱張設構造は、橋梁などの既設鉄骨構造体から吊り下げられた吊り足場上からの作業者の落下防止に活用することが出来る。
【符号の説明】
【００２０】
１    親綱支柱
２    鉄骨
２ａ    鉄骨の水平側縁部
３    吊り足場の作業者歩行面
４    支柱本体
５    クランプ
６    親綱係止部
７    板材
８ａ，８ｂ    厚板
９    受け部
１０    厚板の下側張出し部
１１    厚板の上側張出し部
１２    水平板材
１４ａ，１４ｂ    螺軸
１５ａ，１５ｂ    皿バネ
１６ａ，１６ｂ    回転操作用角軸部
１８    係止具
２０    取付け用基板
２１    天板
【図１】
0003218422.tif 000003
【図２】
0003218422.tif 000004
【図３】
0003218422.tif 000005
【図４】
0003218422.tif 000006
【図５】
0003218422.tif 000007
【図６】
0003218422.tif 000008
【図７】
0003218422.tif 000009